(57)【特許請求の範囲】
【請求項１】
釣糸を巻回および供給するためのスプールと、
巻取り軸を中心に回転し、釣糸を前記スプールに巻回するための巻取り機構とを備え、
前記スプールは、その中心軸が前記巻取り軸からそれぞれ異なる偏心度でオフセットした複数の位置のいずれか一箇所に解除可能に固定可能であることを特徴とする釣具用リール。
【請求項２】
中心軸から偏心的に位置する穴を有する、釣糸を巻回および供給するためのスプールと、
巻取り軸を中心に回転し、釣糸を前記スプールに巻回するための巻取り機構と、
前記巻取り軸からオフセットした軸線に沿って前記スプールの穴の中に位置するスピンドルを有するスプールベースと、
前記スプールを前記スピンドルに対して希望の位置に解除可能に固定するためのクラッチとを備えた釣具用リール。
【請求項３】
前記スプールと前記スピンドルが、前記スピンドルに対する前記スプールの動作範囲を制限するストッパを含む、請求項２に記載の釣具用リール。
【請求項４】
釣糸を巻回および供給するためのスプールと、
巻取り軸を中心に回転し、前記スプールの中心軸が前記巻取り軸から偏心的にオフセットしている第１の位置と、前記スプールの中心軸が前記巻取り軸と略同心となる第２の位置との間を選択的に移動可能に取り付けられた前記スプールに釣糸を巻回するための巻取り機構と、
前記スプールを前記第１の位置から前記第２の位置に移動するために必要とされる力を調整できるクラッチとを含む釣具用リール。
【請求項５】
前記巻取り機構が、前記巻取り軸の周りを回転して釣糸を前記スプールに巻回することが可能なアームを有することを特徴とする、請求項１〜４のいずれか１項に記載の釣具用リール。
【請求項６】
釣糸を巻回および供給するためのスプールと、
巻取り軸を中心にアームが回転するようクランクが回転し、前記スプールの中心軸が前記巻取り軸から偏心的にオフセットしている第１の位置と、前記スプールの中心軸が前記巻取り軸と略同心となる第２の位置との間を選択的に移動可能に取り付けられた前記スプールに釣糸を巻回するための前記クランク及び前記アームを含む巻取り機構とを備えた釣具用リール。
【請求項７】
前記スプールが、その中心軸が前記巻取り軸からそれぞれ異なる偏心度でオフセットした複数の位置のいずれか一箇所に解除可能に固定可能であることを特徴とする、請求項２〜６のいずれか１項に記載の釣具用リール。
【請求項８】
前記巻取り軸に対する前記スプールの中心軸の位置が、前記偏心度が最も大きな位置と同心位置との間で連続的に調整できることを特徴とする、請求項１または７に記載の釣具用リール。
【請求項９】
前記スプールがスピンドルの周りを回転可能であり、前記スピンドルに対して回転許容範囲に制限されることを特徴とする、請求項１、４または６に記載の釣具用リール。
【請求項１０】
前記回転許容範囲が１８０°未満であることを特徴とする、請求項９に記載の釣具用リール。
【請求項１１】
前記スプールが、中心軸から偏心的に位置する穴を有し、前記巻取り軸からオフセットした軸線に沿って前記スプールの穴の中に位置するスピンドルの周りを回転可能であることを特徴とする、請求項１、４または６に記載の釣具用リール。
【請求項１２】
前記スプールが、前記スプールにかかったトルクが設定した閾値を上回ったときに、偏心位置から同心位置に移動することを特徴とする、請求項１〜１１のいずれか１項に記載の釣具用リール。
【請求項１３】
希望の位置に前記スプールを固定するために調整可能なクラッチを備えてなることを特徴とする、請求項１または６に記載の釣具用リール。
【請求項１４】
前記スプールと前記スプールが回転可能に取り付けられるスプールベースとの間に摩擦面を備えてなることを特徴とする、請求項１〜１３のいずれかに記載の釣具用リール。
【請求項１５】
前記スプールと前記スプールベースとの間に調整可能な圧縮力をかけるための可変圧縮手段を備えてなることを特徴とする、請求項１４に記載の釣具用リール。
【請求項１６】
前記可変圧縮手段がバネを含むことを特徴とする、請求項１５に記載の釣具用リール。
【請求項１７】
前記可変圧縮手段が、
前記スプールベースに固定されたねじ山付き軸と、
かかる圧縮力を調整するために自由端に設けたナットとを含むことを特徴とする、請求項１５または１６に記載の釣具用リール。
【請求項１８】
前記ナットが、前記バネによってかかった圧縮力を視覚的に表示する手段を含むノブによって包囲されていることを特徴とする、請求項１７に記載の釣具用リール。
【請求項１９】
リールの固定部に取り付けられており、前記リールの回転部の突起に係合する可撓性の長片の形態を有するクリッカーを含むことを特徴とする、請求項１〜１８のいずれか１項に記載の釣具用リール。
【請求項２０】
リールの回転部に取り付けられており、前記リールの固定部の突起に係合する可撓性の長片の形態を有するクリッカーを含むことを特徴とする、請求項１〜１８のいずれか１項に記載の釣具用リール。
【請求項２１】
釣具用リールにおけるスプール及びスプールベースにおいて、
前記スプールが前記スプールベースに回転可能に取り付けられ、前記スプールが、その中心軸が巻取り軸からそれぞれ異なる偏心度でオフセットした複数の位置のいずれか一箇所に解除可能に固定可能であることを特徴とする、釣具用リールにおけるスプール及びスプールベース。
【請求項２２】
釣具用リールにおけるスプール及びスプールベースにおいて、
前記スプールが前記スプールベースに回転可能に取り付けられ、
前記スプールベースが、前記スプールベースから延在する偏心的に位置するスピンドルを含み、
前記スプールが、前記スピンドルを受容するための、偏心的に位置する穴を含むことを特徴とする、釣具用リールにおけるスプールおよびスプールベース。
【請求項２３】
前記スプールと前記スピンドルが、前記スプールの前記スピンドルに対する移動範囲を制限するストッパを含むことを特徴とする請求項２２に記載の釣具用リールにおけるスプールおよびスプールベース。
【請求項２４】
前記スプールが使用中、偏心度が最も大きな位置と同心位置との間で連続的に調整できることを特徴とする、請求項２１〜２３のいずれか１項に記載の釣具用リールにおけるスプールおよびスプールベース。
【請求項２５】
前記スプールが前記スピンドルの周りを回転可能であると共に前記スピンドルに対する回転許容範囲を制限されていることを特徴とする、請求項２２または２３に記載の釣具用リールにおけるスプールおよびスプールベース。
【請求項２６】
前記回転許容範囲が１８０°未満であることを特徴とする、請求項２５に記載の釣具用リールにおけるスプールおよびスプールベース。
【請求項２７】
前記スプールおよび前記スプールベースの隣接する表面の少なくとも一方に摩擦面を設けたことを特徴とする、請求項２１〜２６のいずれか１項に記載の釣具用リールにおけるスプールおよびスプールベース。
【請求項２８】
クラッチ板が前記スプールと前記スプールベースの間に設けてあることを特徴とする、請求項２１〜２６のいずれか１項に記載の釣具用リールにおけるスプールおよびスプールベース。
【請求項２９】
請求項２１〜２８のいずれか１項に記載の釣具用リールにおけるスプールおよびスプールベースと、使用中の前記スプールと前記スプールベースの間に調整可能な圧縮力をかけるための可変圧縮手段と、を備えた釣具用リール。
【請求項３０】
前記可変圧縮手段がバネを含むことを特徴とする、請求項２９に記載の釣具用リール。
【請求項３１】
前記可変圧縮手段が、ナットを調整するためのノブに包囲されたナットを含むことを特徴とする、請求項２９または３０に記載の釣具用リール。
【請求項３２】
前記可変圧縮手段が、前記バネによってかかる圧縮力を視覚的に表示する手段を含むことを特徴とする、請求項２９〜３１のいずれか１項に記載の釣具用リール。
【発明の詳細な説明】
【０００１】
（技術分野）
本発明は、釣具用リールに関し、さらに詳しくは、ルアーを使用して釣りの効果を高めることができるように構成された釣具用リールに関する。釣具用リールのスプールは、１箇所以上の偏心位置と略同心位置との間を移動可能である。
【０００２】
（背景技術）
ルアーやスピニングを使用して釣りをする場合、ルアーを不規則に動かして生き餌の動きにより正確に似せることができるのが望ましい。これは、水中で回転、うねり、そして／あるいは潜るなどの動作ができるようなルア事態のデザインによって実現できる部分もある。
【０００３】
停止した船や海岸で釣りをする場合には、釣り人が定期的に釣り糸をリールに巻き込みながら釣竿を後方に素早く引く、一般的に“ジギング”として知られる動作を行って、リールを巻きながら定期的に加速、減速することによって、ルアーの動きがさらによくなる。
【０００４】
この方法は、特に大きいルアーで釣りをする場合に効果的ではあるが、かなりの技術と労力を要し、小さい餌の素早い敏速な動きを真似ようとする場合には実用的とはいえない。
【０００５】
米国特許第２，４２５，４９２号では、スプールを偏心位置と同心位置の間を移動可能な釣具用リールを開示している。スプールを回転させることによって釣り糸をリールに巻きつける。偏心位置では“ジギング”動作が効果的である。スプールは、一箇所の偏心位置のみに設定可能であり、その偏心位置から同心位置までスプールが移動する点は、予め設定されているため、使用者が調整することはできない。したがって、使用者は、ルアーを希望通り動かすため、その偏心の度合いを希望通り設定することができないばかりか、偏心位置から同心位置へのスプールを移動するのに必要な、釣り糸にかかる力を設定することもできない。構造は回転リールを有する釣具用リールで実施されているものと同様に複雑である。
【０００６】
本発明は、従来の技術の一つ以上の欠点を克服または改善した、あるいは少なくとも有効な代替案を提供することのできる釣具用リールを提供することにある。
【０００７】
（発明の開示）
本発明の第１の局面によると、釣糸を巻回および供給するためのスプールと、釣糸をスプールの巻取り軸の周りに巻回するための巻取り機構とを備え、スプールは、それぞれが巻取り軸から異なる角度で偏心的にオフセットした複数の位置のいずれか一箇所に解除可能に固定可能であることを特徴とする釣具用リールを提供する。
【０００８】
本発明のもう一つの局面によると、偏心的に位置する穴を設けた、釣糸を巻回および供給するためのスプールと、釣糸をスプールの巻取り軸の周りに巻回するための巻取り機構と、巻取り軸からオフセットした軸に沿って、スプールの穴の中に位置するスピンドルと、スプールをスピンドルに対して希望の位置に解除可能に固定するためのクラッチとを備えた釣具用リールを提供する。
【０００９】
本発明のさらにもう一つの局面によると、釣糸を巻回および供給するためのスプールと、スプールの軸が巻取り軸から偏心的にオフセットしている第１の位置と、スプールの軸が巻取り軸と略同心となる第２の位置との間を選択的に移動可能に取り付けられた前記スプールの巻取り軸の周りに釣糸を巻回するための巻取り機構と、スプールを第１から第２の位置に移動するために必要とされる力を調整できるクラッチとを含む釣具用リールを提供する。
【００１０】
本発明のさらにもう一つの局面によると、釣糸を巻回および供給するためのスプールと、スプールの軸が巻取り軸から偏心的にオフセットしている第１の位置と、スプールの軸が巻取り軸と略同心となる第２の位置との間を選択的に移動可能に取り付けられたスプール上に釣糸を巻回するために巻取り軸の周りを回転可能なアームを含む巻取り機構とを備えた釣具用リールを提供する。
【００１１】
本発明のリールを使用すると、ルアーを第１の偏心位置でスプールによって巻取ることにより、巻取り軸を中心として回転する毎に巻き取る釣糸とルアーの速度を加速および減速することができる。“ヒット”して魚が掛かると、スプールは自動的に巻取り軸と略同心の第２の位置に移動するので、スプールが一定の速度で巻取り動作を行う通常の同心位置に位置した状態で、掛かった魚をリールで引き揚げることができる。
【００１２】
好ましくは、スプールは、巻取り軸からそれぞれ異なる度合いで偏心的にオフセットした複数の位置に解除可能に固定することができ、使用者が“ジギング”の量を制御できるように構成する。また、好ましくは、最も偏心した位置と同心位置との間を連続的に調整できるように構成する。スプールおよびスプールベース（もしくは別のリール固定部）上にストッパでリールに対するスプールの移動範囲を限定する。好ましくは、移動範囲は１８０°未満に制限する。
【００１３】
好ましい構成によると、スプールは、偏心的にオフセットした穴を有し、巻取り軸からオフセットした軸に沿って位置するスピンドルの周りを回転可能である。また、好ましくは、スプールの取り付けは、釣糸へかかる負荷が設定した閾値を超えたときに偏心位置から同心位置へ移動する自動センタリング動作ができるように構成する。
【００１４】
好ましくは、希望の偏心位置にスプールを固定し、偏心位置と同心位置との間を移動させる負荷閾値を設定するためにクラッチを設ける。このクラッチは、好ましくは、スプールとスプールベースとの間に摩擦面を有するのが好ましい。好ましくは、スプールとスプールベースとの間の圧縮力を調整するために可変圧縮手段を設ける。可変圧縮手段は、好ましくは、ねじ山付き軸に沿って位置決めすることによってスプリングによってかかる圧縮力を変化させることができる調整ナットを有する。
【００１５】
ノブは、スプリングによってかかる圧縮力を視覚的に表す手段を有していてもよい。
【００１６】
リールは、リールの回転部分の突起に係合するようホイールの固定部に取り付けた可撓性の片形状またはその逆の形状のクリッカーを有していてもよい。
【００１７】
さらに、スプールが、異なる度合いだけ巻取り軸から偏心的にオフセットしている複数の位置のうちいずれか一箇所に解除可能に固定可能であることを特徴とする、釣具用リールに使用するスプールおよびスプールベースを提供する。
【００１８】
また、さらに、スプールベースからは偏心的に位置するスピンドルが突設され、スプールはそのスピンドルを受容するための偏心位置に設けた穴を有することを特徴とする、釣具用リールに使用するスプールおよびスプールベースを提供する。
【００１９】
（発明を実施するための最良の形態）
まず、図１から図１２を参照しながら第１の実施形態によるリールを説明する。釣具用リールはリールを釣竿に固定するための足部２を有する本体部１を備える。クランク３の回転により、ギヤハウジング１８とベイルアーム４がスプール５の周りを回転する。ベイルアーム４が閉位置（図示の状態）にあるときには、ベイルアーム４がスプール５の周りを回転し、その回転方向により、釣糸がスプール５に巻回されるか、そこから引き出される。
【００２０】
スプール５が略同心位置にあるとき（図１および図８に示す）、釣糸はスプール５上に比較的均等な速度で巻回される。スプール５が略同心位置（図８に示す）から略偏心位置（図９および図１０Aに示す）に移動すると、巻回特性が変化する。スプール５の位置の偏心度が増すに釣れ、釣糸の引き込み速度が巻取り軸の周りを１回転する毎に加速および減速する。これに対応して、釣糸に取り付けておいたルアーが加速、減速する。これにより、一般に“ジギング”として知られるルアーの動きがスプール５の位置の偏心の度合いによって変化する。
【００２１】
図６を参照すると、スプール５を偏心位置に位置させるための機構について説明する。スプールベース６はそこから延在するスピンドル７を有する。スピンドル７は、中心穴８に対して偏心位置に位置する。軸９は、穴８を貫通してスプールベース６をリールに取り付ける。軸９は巻取り軸に沿って延在し、その巻取り軸を中心として釣糸がスプール５に巻回される。
【００２２】
スプール５には、その偏心位置に穴１０が形成されている。スピンドル７はその穴１０の中に位置し、スプール５はスピンドル７を中心として回転可能である。図８に示す位置では、スピンドル７と穴１０は（軸９の線に沿った）巻取り軸から同程度だけオフセットしている。この相対位置では、図８に示すように、スプール５は巻取り軸と略同心である。スプール５が初期の位置から１８０°回転すると、スプールは、穴１０が巻取り軸から変位すると共にスピンドル７が巻取り軸から変位して巻取り軸からオフセットして図１０Ａに示す位置となる。この位置においては、巻回中、最大の加速および減速が得られる。
【００２３】
図１０Ｂに示すように、スピンドル７上のストッパ２９は、円弧形状の溝３０の中を移動して進行方向のいずれかの端部に位置するストッパ３０Ａおよび３０Ｂに当接する。これによって、動きを１８０°の相対移動内に限定する。
【００２４】
使用中、スプール５は希望の偏心位置へ移動させてクラッチで固定できる。スプールは偏心位置に固定される一方、釣糸をスプール５上へ巻取ると、ルアーが“ジギング”動作を行う。魚が掛かり、負荷が釣糸に掛かると、また、負荷がクラッチの抵抗に打ち勝つのに十分である場合、スプール５は図８に示すような同心位置まで押し戻される。これにより、釣糸は、必要に応じて効力制御を使用してリールを円滑に走るか、あるいは円滑に巻回されて魚を引き揚げることができる。上記の構成により、使用者はスプール５を巻取り軸に対して希望の偏心量で位置決めすることができる。そしてクラッチで定位置に固定することができる。
【００２５】
数多くのクラッチ機構を採用することができるが、好ましい構成について図６を参照しながら説明する。プレート１６を軸９に沿って固定位置に取り付ける。軸９を穴８に通してスプールベース６をプレート１６に隣接して取り付ける。摩擦面を有するシート１１をプレート１６とスプールベース６の間に挟みこむ。あるいは、摩擦コーティングをプレート１６のスプール６に隣接する面か、あるいは、プレート１６と隣接するスプールベース６の下面もしくはその両方にかける。あるいは、スプールベース６をプレート１６と機械的に係合させて相対回転を阻止するか、あるいは他の同様の構成を採用してもよい。
【００２６】
スプール５は、スピンドル７を穴１０に貫通させてスプールベース６に取り付ける。スプール５の下側またはスプール５に隣接するスプールベース６の面またはその両方にクラッチ板として機能するような摩擦コーティングを設けてもよい。あるいは、別体のクラッチ板をスプール５とスプールベース６の間に設けてもよい。そして、ワッシャ１２を軸９のネジ山付き端部に取り付けてから、ノブ１３、スプリング１４、およびナット１５の形態の圧縮手段を固定する。摩擦面はワッシャ１２とスプール５の間に設けてもよい。スプリング１４とナット１５はノブ１３の中に位置する。ノブ１３は使用者がナット１５を締めたり緩めたりして回転させることができる。ナット１５を締めたり緩めたりすると、スプリング１４がスプールベース６とスプール５の間の圧縮力を強めたり弱めたりする。スプール５とスプールベース６の間、およびワッシャ１２とスプール１５との間の摩擦面により、スプール５を回転させるために必要な力は、スプリング１４によってかかる圧縮力によって変化する。そのような摩擦面を一面だけ設けるだけで、許容可能な性能が実現できることは明らかである。摩擦面としては、ＰＴＦＥ（ポリテトラフルオロエチレン）テープが適している。ナット１５とバネ１４をノブ１３の中に収容するためのとめ輪２８を設けてもよい。
【００２７】
従って、ノブ１３を調整することにより、使用者はスプール５を希望の位置に固定することができるとともに、ノブ１３を調整することによりスプール５とスプールベース６の間にかかる圧縮力を設定することができる。スプール５とスプールベース６との間にかかる圧縮力を調整することにより、使用者は、スプールを偏心位置から略同心位置に移動させる釣糸の負荷を設定することができる。
【００２８】
使用中、ノブ１３を回転させると、スプリング１４とナット１５で形成された圧縮手段を緩めることができる。そうすることにより、スプール５をスピンドル７の周りを回転させて希望の偏心位置へ移動させることができるようになる。ノブ１３を、ナット１５がバネ１４を圧縮して希望の圧縮力をかけるまで調整することができる。これにより、通常の方法でルアーを投げたり、巻回することができる。スプール５が偏心位置にあるので、釣糸を可変速度で巻き取って“ジギング”動作を引き起こすことができる。
【００２９】
魚がルアーに掛かると、多数の事象が次々と起こる。魚が釣糸に負荷をかけると釣糸によってスプール５にトルクがかかる。トルクが増加すると、スプール５は摩擦抵抗に打ち勝って、スピンドル７を中心として回転し、ストッパ３０がスプールベース６のストッパ３０Ａに係合するまで回転する。
【００３０】
スプール５が同心位置に移動すると、スプール５とスプールベース６が軸９の周りを回転する。ナット１５の位置を調整すると、ナット１５の位置を調整することによってバネ１４によってかかる圧縮力が調整され、抗力の量（すなわちスプール５とスプールベース６の軸９周りの回転に対する抵抗）が調整される。軸９の回転を制御する抗力制御機構を採用すれば、スプールベース６を軸９に固定し、釣具用リールの抗力調整ノブによって抗力を調整することができる。スプール５が同心位置にあるときには、釣糸は均等な速度で巻回することができる。
【００３１】
図１１および図１２に、クリッカー機構を示す。クリッカー機構はスプールベース６をギヤハウジング１８に対して回転させることによりカチッという音を立てる。図１１および１２に示す実施形態では、クリッカー板１６を軸９に取り付け、可撓性の長片１７をリベット１９でギヤハウジング１８に固定する。ギヤハウジング１８が回転すると、可撓性の長片１７がクリッカーホイール１６の歯２０上を通過するときにカチッという音を立てる。ギヤハウジング１８の内側表面に鋸歯状の縁を形成して、可撓性の長片をクリッカー板１６から延在させるという、逆の構成も可能であることは明らかである。
【００３２】
図１３から１５では、クラッチを調整するために後ノブ２１を使用するもう一つの実施形態を示す。この機構は可変圧縮手段の形式が後方調整に変更されている点を除いては、図１から１２に関して示した機構と実質的には同じである。この場合、軸２２が管３１を通って延在し、スプール５に圧縮力をかけるための平坦な頭部２３を有する。先の実施形態のように、ノブ２１は軸２２のねじ山付き端部でナット２５を回転させてバネ２６の圧縮を調整する。この構成により、形状によってはノブ２１の調整がしやすくなり、スプール５の前部から障害物を排除することができる。別体の抗力制御機構に別体の抗力調整ノブを設けることもできる。
【００３３】
視覚的表示手段を有するノブ２４を図１６に示す。この場合、多数の釣糸２７がナット２５の端部に示してあり、ノブ２４に対するナット２５の位置によってバネ２６がどれくらい圧縮されているかが使用者に見えるようになっている。これにより、使用者は、スプールを偏心位置から同心位置へ移動させたい希望の閾値を、視覚的マーキングに基づいて設定することができるようになる。この構成は図１から１２に関して示したノブ１３にも使用できる。
【００３４】
本発明は使用者が希望の程度の“ジギング”を設定でき、スプールを偏心位置から同心位置まで移動させるのに必要な力を設定することができる単純な構造の釣具用リールを提供する。
【００３５】
これまでの説明において、周知の同等物を有する完全体もしくは構成要素について言及している場合には、そのような同等物は、ここに個々に記述した如く組み込むことができるものとする。
【００３６】
本発明については、例示を目的として説明したが、本発明の範囲もしくは精神にもとることなく、改良や変更が可能であることは理解できよう。
【図面の簡単な説明】
【図１】    図１は、第１の実施形態による釣具用リールの前面の斜視図である。
【図２】  図２は、図１の釣具用リールの側面図である。
【図３】  図３は、図１および２の釣具用リールの上面図である。
【図４】  図４は、線Ａ−Ａに沿って切った側断面図である。
【図５】  図５は、線Ｂ−Ｂに沿って切った上断面図である。
【図６】  図６は、図１から５に示す釣具リールの前面分解図である。
【図７】  図７は、図１から６の釣具用リールの後面分解図である。
【図８】  図８は、図１から７の釣具用リールのスプールが同心位置にある状態を示す正面図である。
【図９】  図９は、スプールが偏心位置にある状態を示す正面である。
【図１０Ａ】  図１０Ａは、図１から９の釣具用リールのスプールが最も偏心した位置にある状態を示す正面図である。
【図１０Ｂ】  図１０Ｂは、ストッパがスプールとスプールベースの間の相対動作を制限する様子を示すスプールの断面図である。
【図１１】  図１１は、図１から１０に示す釣具用リールの線Ｃ−Ｃに沿って切った図である。
【図１２】  図１２は、図１１に示すクリッカーの領域Ｄの詳細を示す図である。
【図１３】  図１３は、可変圧縮手段が釣具用リールの後部に位置するノブを含む、第２の実施形態による釣具用リールを示す図である。
【図１４】  図１４は、図１３の釣具リールの後部側面の斜視図である。
【図１５】  図１５は、図１３および１４のリールの側断面図である。
【図１６】  図１６は、視覚的マーキングを有するノブを示す図である。
【図１】
0004503231.tif 000002
【図２】
0004503231.tif 000003
【図３】
0004503231.tif 000004
【図４】
0004503231.tif 000005
【図５】
0004503231.tif 000006
【図６】
0004503231.tif 000007
【図７】
0004503231.tif 000008
【図８】
0004503231.tif 000009
【図９】
0004503231.tif 000010
【図１０Ａ】
0004503231.tif 000011
【図１０Ｂ】
0004503231.tif 000012
【図１１】
0004503231.tif 000013
【図１２】
0004503231.tif 000014
【図１３】
0004503231.tif 000015
【図１４】
0004503231.tif 000016
【図１５】
0004503231.tif 000017
【図１６】
0004503231.tif 000018